(57)【要約】【課題】新たなフォーマットのカメラユニットを導入する際のコスト低減などを図る。【解決手段】中間ユニットは、第１のコネクト部と、第２のコネクト部とを備える。第１のコネクト部は、空間方向あるいは時間方向に第１の解像度のカメラユニットを接続するためのコネクト部である。第２のコネクト部は、空間方向あるいは時間方向に第１の解像度よりも低い第２の解像度のカメラユニット用のカメラコントロールユニットを接続するためのコネクト部である。中間ユニットは、第１のコネクト部および第２のコネクト部の間に情報ブリッジ部を備える。この情報ブリッジ部は、カメラユニットとカメラコントロールユニットとの間で送受信される情報をブリッジする。【選択図】図２
2014204325.tif 000002
【特許請求の範囲】
【請求項１】
空間方向あるいは時間方向に第１の解像度のカメラユニットを接続するための第１のコネクト部と、
空間方向あるいは時間方向に上記第１の解像度よりも低い第２の解像度のカメラユニット用のカメラコントロールユニットを接続するための第２のコネクト部と、
上記第１のコネクト部および上記第２のコネクト部の間に介在され、上記カメラユニットと上記カメラコントロールユニットとの間で送受信される情報をブリッジする情報ブリッジ部とを備える
中間ユニット。
【請求項２】
上記情報ブリッジ部は、
上記第１のコネクト部に上記カメラユニットから入力される上記第１の解像度の映像信号を、上記第２の解像度の映像信号に変換して、上記第２のコネクト部に出力する
請求項１に記載の中間ユニット。
【請求項３】
上記情報ブリッジ部は、
上記第１のコネクト部に上記カメラユニットから入力される上記第１の解像度の映像信号を上記第２の解像度の映像信号に変換する前に、該第１の解像度の映像信号に対してカメラ信号処理を行う
請求項２に記載の中間ユニット。
【請求項４】
上記情報ブリッジ部で上記カメラ信号処理が施された上記第１の解像度の映像信号を外部に出力する映像信号出力部をさらに備える
請求項３に記載の中間ユニット。
【請求項５】
上記情報ブリッジ部は、
上記第１のコネクト部に上記カメラユニットから上記第１の解像度の映像信号が供給されない状態で、上記第１の解像度の映像信号に対応したカラーバー信号を出力する
請求項１に記載の中間ユニット。
【請求項６】
上記情報ブリッジ部は、
上記カメラユニットと上記カメラコントロールユニットとの間のカメラコントロールに関する通信を仲介する
請求項１に記載の中間ユニット。
【請求項７】
上記情報ブリッジ部は、
上記カメラユニットからの給電要請を上記カメラコントロールユニットに仲介する
請求項１に記載の中間ユニット。
【請求項８】
上記情報ブリッジ部は、
上記第２のコネクト部に上記カメラコントロールユニットから入力されるカメラコントロール信号よりタイミング信号を抽出し、該タイミング信号に基づいて各部の処理タイミングを制御する
請求項１に記載の中間ユニット。
【請求項９】
上記第１の解像度は４Ｋ解像度であり、上記第２の解像度はＨＤ解像度である
請求項１に記載の中間ユニット。
【請求項１０】
上記第１の解像度はハイフレームレート解像度であり、上記第２の解像度はノーマルフレームレート解像度である
請求項１に記載の中間ユニット。
【請求項１１】
空間方向あるいは時間方向に第１の解像度のカメラユニットと、
空間方向あるいは時間方向に上記第１の解像度よりも低い第２の解像度のカメラユニット用のカメラコントロールユニットと、
上記カメラユニットと上記カメラコントロールユニットとの間に介在される中間ユニットとを備え、
上記中間ユニットは、
上記カメラユニットを第１の伝送路を介して接続するための第１のコネクト部と、
上記カメラコントロールユニットを第２の伝送路を介して接続するための第２のコネクト部と、
上記第１のコネクト部および上記第２のコネクト部の間に介在され、上記カメラユニットと上記カメラコントロールユニットとの間で送受信される情報をブリッジする情報ブリッジ部とを有する
カメラシステム。
【発明の詳細な説明】
【技術分野】
【０００１】
本技術は、中間ユニットおよびカメラシステムに関し、特に、カメラとカメラコントロールユニットとの間に介在される中間ユニットなどに関する。
【背景技術】
【０００２】
放送用のカメラシステムは、例えば、特許文献１に記載されるように、カメラユニット(CAM)とカメラケーブルで接続されたカメラコントロールユニット(CCU)との対の機器で構成されている。例えば、ＳＤ解像度のカメラユニット用のカメラコントロールユニット（SD_CCU）にはＳＤ解像度のカメラユニット（SD-Camera）が接続される。また、ＨＤ解像度のカメラユニット用のカメラコントロールユニット（HD-CCU）にはＨＤ解像度のカメラユニット（HD-Camera）が接続される。このように、カメラユニットとカメラコントロールユニットは、対の存在で構成されていた。
【先行技術文献】
【特許文献】
【０００３】
【特許文献１】特開２００１−２９２３４８号公報
【発明の概要】
【発明が解決しようとする課題】
【０００４】
従来、放送用カメラを更新するにあたって、新たなフォーマットのカメラユニットを導入するためには、カメラユニットとカメラコントロールユニットとを対で更新する必要があった。そのため、コストがかかり、また、従来機との相互互換も得られなくなっていた。
【０００５】
本技術の目的は、新たなフォーマットのカメラユニットを導入する際のコスト低減などを図ることにある。
【課題を解決するための手段】
【０００６】
本技術の概念は、
空間方向あるいは時間方向に第１の解像度のカメラユニットを接続するための第１のコネクト部と、
空間方向あるいは時間方向に上記第１の解像度よりも低い第２の解像度のカメラユニット用のカメラコントロールユニットを接続するための第２のコネクト部と、
上記第１のコネクト部および上記第２のコネクト部の間に介在され、上記カメラユニットと上記カメラコントロールユニットとの間で送受信される情報をブリッジする情報ブリッジ部とを備える
中間ユニットにある。
【０００７】
本技術において、中間ユニットには、第１のコネクト部と、第２のコネクト部とが備えられる。第１のコネクト部は、空間方向あるいは時間方向に第１の解像度のカメラユニットを接続するためのコネクト部である。第２のコネクト部は、空間方向あるいは時間方向に第１の解像度よりも低い第２の解像度のカメラユニット用のカメラコントロールユニットを接続するためのコネクト部である。例えば、第１の解像度は４Ｋ解像度であり、第２の解像度はＨＤ解像度である、ようにされてもよい。また、例えば、第１の解像度はハイフレームレート解像度であり、第２の解像度はノーマルフレームレート解像度である、ようにされてもよい。
【０００８】
例えば、カメラユニットは、光伝送ケーブルなどの第１の伝送路を通じて、中間ユニットの第１のコネクト部に接続される。また、例えば、カメラコントロールユニットは、光伝送ケーブルなどの第２の伝送路を通じて、中間ユニットの第２のコネクト部に接続される。このように、第１の解像度のカメラユニットは、中間ユニットを介して、第２の解像度のカメラユニット用のカメラコントロールユニットに接続される。
【０００９】
中間ユニットには、情報ブリッジ部が備えられる。この情報ブリッジ部は、第１のコネクト部と第２のコネクト部との間に介在される。この情報ブリッジ部により、カメラユニットとカメラコントロールユニットとの間で送受信される情報がブリッジされる。
【００１０】
例えば、情報ブリッジ部は、第１のコネクト部にカメラユニットから入力される第１の解像度の映像信号を、第２の解像度の映像信号に変換して、第２のコネクト部に出力する、ようにされてもよい。この場合、情報ブリッジ部は、第１のコネクト部にカメラユニットから入力される第１の解像度の映像信号を第２の解像度の映像信号に変換する前に、この第１の解像度の映像信号に対してカメラ信号処理を行う、ようにされてもよい。
【００１１】
そして、この場合、情報ブリッジ部でカメラ信号処理が施された第１の解像度の映像信号を外部に出力する映像信号出力部をさらに備える、ようにされてもよい。また、この場合、情報ブリッジ部は、第１のコネクト部にカメラユニットから第１の解像度の映像信号が供給されない状態で、第１の解像度の映像信号に対応したカラーバー信号を出力する、ようにされてもよい。
【００１２】
なお、本技術において、例えば、情報ブリッジ部は、カメラユニットとカメラコントロールユニットとの間のカメラコントロールに関する通信を仲介する、ようにされてもよい。また、本技術において、例えば、情報ブリッジ部は、カメラユニットからの給電要請をカメラコントロールユニットに仲介する、ようにされてもよい。また、本技術において、例えば、情報ブリッジ部は、第２のコネクト部にカメラコントロールユニットから入力されるカメラコントロール信号よりタイミング信号を抽出し、このタイミング信号に基づいて各部の処理タイミングを制御する、ようにされてもよい。
【００１３】
このように本技術においては、第１の解像度のカメラユニットを、この第１の解像度よりも低い第２の解像度のカメラユニット用のカメラコントロールユニットに接続することが可能となる。従って、新たなフォーマットのカメラユニットを導入する際のコスト低減などを図ることが可能となる。
【発明の効果】
【００１４】
本技術によれば、新たなフォーマットのカメラユニットを導入する際のコスト低減などを図ることができる。なお、本明細書に記載された効果はあくまで例示であって限定されるものではなく、また付加的な効果があってもよい。
【図面の簡単な説明】
【００１５】
【図１】カメラシステム（HD-SYSTEM）およびカメラシステム（4K-SYSTEM）の構成例を示す図である。
【図２】実施の形態としてのカメラシステム（4K-Hybrid-SYSTEM）の構成例を示す図である。
【図３】中間ユニット（4K-BPU）の構成例を示すブロック図である。
【図４】カメラユニット（Camera）と、カメラコントロールユニット（CCU）と、スタジオ機器あるいは中継車機器との接続例を示す図である。
【図５】カメラシステムの変更容易性を説明するための図である。
【図６】中間ユニット（4K-BPU）の他の構成例を示すブロック図である。
【図７】カメラシステム（HFR-Hybrid-SYSTEM）の構成例を示す図である。
【発明を実施するための形態】
【００１６】
以下、発明を実施するための形態（以下、「実施の形態」とする）について説明する。なお、説明を以下の順序で行う。
１．実施の形態
２．変形例
【００１７】
＜１．実施の形態＞
［カメラシステムの構成例］
図１（ａ）は、カメラシステム（HD-SYSTEM）６０の構成例を示している。このカメラシステム６０は、ＨＤ解像度のカメラユニット（HD_Camera）６１と、ＨＤ解像度のカメラユニット用のカメラコントロールユニット（HD_CCU）６２とが、ＨＤ用光伝送路としての光カメラケーブル６３を介して接続されて構成されている。
【００１８】
光カメラケーブル６３は、一対のファイバケーブルと、電力用給電線と、2本の制御線を内蔵した複合ケーブルであって、例えば、１．５ＧＨｚ／３ＧＨｚ／３．７ＧＨｚなどの伝送レートに対応している。カメラコントロールユニット６２は、映像信号処理、フォーマット変換、分配出力を行うと共に、各種雑多なインタフェースをサポートする。カメラユニット６１とカメラコントロールユニット６２との間は、専用の光伝送インタフェース（Ｉ／Ｆ）で接続されている。
【００１９】
図１（ｂ）は、カメラシステム（4K-SYSTEM）７０の構成例を示している。このカメラシステム７０は、４Ｋ解像度のカメラユニット（4K_Camera）７１と、４Ｋ解像度のカメラユニット用のカメラコントロールユニット（4K_CCU）７２とが、４Ｋ用光伝送路としての光カメラケーブル７３を介して接続されて構成されている。
【００２０】
光カメラケーブル７３としては、上述のＨＤ用の光カメラケーブルをそのまま使用可能である。ただし、大規模データに対応した光レーザー通信が行われ、例えば、１０ＧＨｚ以上の伝送レートが達成される。カメラコントロールユニット７２は、ＨＤ用のカメラコントロールユニットと同様に、映像信号処理、フォーマット変換、分配出力を行うと共に、各種雑多なインタフェースをサポートし、さらに、４Ｋ映像信号の処理機能を有する。カメラユニット７１とカメラコントロールユニット７２との間は、４Ｋ信号を伝送できる専用の光伝送インタフェース（Ｉ／Ｆ）で接続されている。
【００２１】
このように、４Ｋのカメラシステム（4K-SYSTEM）７０を構成するには、４Ｋ信号を伝送できる専用の光伝送インタフェース（Ｉ／Ｆ）機能と、４Ｋ映像信号を処理できる機能を有するカメラコントロールユニット７２が必要となる。
【００２２】
図２は、実施の形態としてのカメラシステム（4K-Hybrid-SYSTEM）１０の構成例を示している。このカメラシステム１０は、４Ｋ解像度のカメラユニット（4K_Camera）１１と、ＨＤ解像度のカメラユニット用のカメラコントロールユニット（HD_CCU）１２と、中間ユニット（4K-BPU：4k-Baseband Process Unit）１３を有している。
【００２３】
中間ユニット１３には、コネクト部（第１のコネクト部）１３ａと、コネクト部（第２のコネクト部）１３ｂが設けられている。カメラコントロールユニット１２は、ＨＤ用光伝送路としての光カメラケーブル１４を介して、中間ユニット１３のコネクト部１３ｂに接続される。光カメラケーブル１４は、例えば、一対のファイバケーブルと、電力用給電線と、2本の制御線を内蔵した複合ケーブルであって、例えば、１．５ＧＨｚ／３ＧＨｚ／３．７ＧＨｚなどの伝送レートに対応している。
【００２４】
また、カメラユニット１１は、４Ｋ用光伝送路としての光カメラケーブル１５を介して、中間ユニット１３のコネクト部１３ａに接続される。光カメラケーブル１５としては、上述のＨＤ用の光カメラケーブルをそのまま使用可能である。ただし、大規模データに対応した光レーザー通信が行われ、例えば、１０ＧＨｚ以上の伝送レートが達成される。
【００２５】
この場合、中間ユニット（4K-BPU）１３は、４Ｋ解像度のカメラユニット（4K_Camera）との間の光伝送インタフェースと、ＨＤ解像度のカメラユニット用のカメラコントロールユニット（HD_CCU）との間の光伝送インタフェースとの双方を持っている。これにより、カメラユニット（4K_Camera）１１側から見ると、中間ユニット（4K-BPU）１３との接続が、４Ｋ解像度のカメラユニット用のカメラコントロールユニット（4K-CCU）との接続になる。また、カメラコントロールユニット（HD_CCU）１２側から見ると、中間ユニット（4K-BPU）１３との接続がＨＤ解像度のカメラユニット（HD_Camera）との接続になる。
【００２６】
つまり、中間ユニット（4K-BPU）１３は、カメラコントロールユニット（HD_CCU）１２との接続を、ＨＤ解像度のカメラユニット（HD_Camera）のプロトコルインタフェースで行う。また、中間ユニット（4K-BPU）１３は、カメラユニット（4K_Camera）１１との接続を、４Ｋ解像度のカメラユニット用のカメラコントロールユニット（4K-CCU）のプロトコルインタフェースで行う。
【００２７】
カメラユニットのフォーマットに依存しない各種雑多な信号のインタフェース機能としては、ＨＤ解像度のカメラユニット用のカメラコントロールユニット（HD_CCU）１２の機能が使用される。すなわち、カメラシステム１０においては、中間ユニット（4K-BPU）１３と、カメラコントロールユニット（HD_CCU）１２の組み合わせで、４Ｋ解像度のカメラユニット用のカメラコントロールユニット（4K-CCU）相当の構成が実現される。
【００２８】
中間ユニット（4K-BPU）１３には、コネクト部１３ａおよびコネクト部１３ｂの間に、情報ブリッジ部１３ｃが介在される。この情報ブリッジ部１３ｃは、カメラユニット（4K_Camera）１１とカメラコントロールユニット（HD_CCU）１２との間で送受信される情報をブリッジする。
【００２９】
この場合、情報ブリッジ部１３ｃは４Ｋ解像度の映像信号をＨＤ解像度の映像信号に変換する映像信号変換機を持ち、ＨＤ用の光伝送インタフェースを構成できる機能を有し、ＨＤ解像度のカメラユニット（HD_Camera）として振る舞うことができる。そのため、中間ユニット（4K-BPU）１３は、ＨＤ解像度のカメラユニット用のカメラコントロールユニット（HD_CCU）１２と接続することができる。
【００３０】
［中間ユニット（4K-BPU）の構成例］
図３は、中間ユニット（4K-BPU）１３の構成例を示している。中間ユニット１３は、ＣＰＵ（Central Processing Unit）１０１と、タイミング・ジェネレータ（Timing-Generator）１０２と、コミュニケーション・コントローラ（Communication-Controller）１０３を有している。また、中間ユニット１３は、オプティカル・トランシーバ（Optical-Transceiver）１０４と、４Ｋ・トランスミッション・デコーダ（4K-Transmission-Decoder）１０５と、４Ｋ・ビデオ・プロセッサ（4K-Video-Processor）１０６を有している。
【００３１】
また、中間ユニット１３は、４Ｋ／ＨＤ・コンバータ（4K→HD-Converter）１０７と、ＨＤ・トランスミッション・エンコーダ（HD-Transmission-Encoder）１０８と、オプティカル・トランシーバ（Optical-Transceiver）１０９を有している。また、中間ユニット１３は、ＨＤ・トランスミッション・デコーダ（HD-Transmission-Decoder）１１０と、４Ｋ・トランスミッション・エンコーダ（4K-Transmission-Encoder）１１１を有している。中間ユニット１３内の上述した各部は、情報ブリッジ部１３ｃを構成している。
【００３２】
ＣＰＵ１０１は、中間ユニット１３の各部を制御する。タイミング・ジェネレータ１０２は、カメラコントロールユニット１２から光伝送で送られてきた信号から抽出されたタイミング信号に基づいて種々のタイミング信号を発生して中間ユニット１３の各部に送り、各部の処理タイミングを制御する。すなわち、中間ユニット１３は、カメラコントロールユニット１２から光伝送で送られてきた信号から抽出されたタイミング信号によるタイミングを基準に動作する。
【００３３】
また、タイミング・ジェネレータ１０２は、カメラコントロールユニット１２から光伝送で送られてきた信号から抽出されたタイミング信号に基づいて、カメラユニット１１に光伝送するタイミング信号を再生（Regenerate）する。この場合、４Ｋ・ビデオ・プロセッサ１０６における４Ｋ解像度の映像信号の処理に必要な遅延が考慮され、カメラユニット１１の位相が最適となるように、タイミング信号の再生が行われる。
【００３４】
コミュニケーション・コントローラ１０３は、制御線を使用して、カメラユニット１１およびカメラコントロールユニット１２の光通信や、カメラコントロールユニット１２からカメラユニット１１への給電を制御する。
【００３５】
カメラユニット１１側の光カメラケーブル１５が接続されていないときでも、中間ユニット１３は、カラーバー（CB）などの４Ｋ解像度の映像信号を出力する。そのため、カメラコントロールユニット１２側へのリファレンスロックが必要なので、給電せずに、カメラコントロールユニット１２との光通信を行う必要がある。
【００３６】
コミュニケーション・コントローラ１０３は、カメラユニット１１側の光カメラケーブル１５が接続されたとき、カメラユニット１１からの給電要請をカメラコントロールユニット１２に仲介する。すなわち、コミュニケーション・コントローラ１０３は、カメラユニット１１からの制御線を通じた給電要請に応じて、カメラコントロールユニット１２側の光カメラケーブル１４の制御線を通じて、カメラコントロールユニット１２にその給電要請を伝える。
【００３７】
図３に示す中間ユニット１３の構成では、中間ユニット１３は、カメラコントロールユニット１２からの給電をそのままスルーしてカメラユニット１１に供給する構成となっている。しかし、中間ユニット１３に４Ｋ解像度のカメラユニット（4K-Camera）用の電源が内蔵され、この電源からカメラユニット１１に給電する構成も考えられる。
【００３８】
オプティカル・トランシーバ１０４は、光カメラケーブル１５を通じて接続されるカメラユニット１１との間で光通信を行う。この光通信により、映像信号、カメラコントロール信号などを含む４Ｋ伝送フォーマットの信号が、カメラユニット１１との間で送受信される。
【００３９】
４Ｋ・トランスミッション・デコーダ１０５は、オプティカル・トランシーバ１０４で受信された４Ｋ伝送フォーマットの信号に対してデコード処理を施し、カメラユニット１１から送られてきた信号（4K-Video, Control, Intercomなど）を取得する。４Ｋ・トランスミッション・エンコーダ１１１は、カメラコントロールユニット１２から受信された信号（Return, Intercom, Controlなど）に対してエンコード処理を施し、送信すべき４Ｋ伝送フォーマットの信号を生成する。
【００４０】
オプティカル・トランシーバ１０９は、光カメラケーブル１４を通じて接続されるカメラコントロールユニット１２との間で光通信を行う。この光通信により、映像信号、カメラコントロール信号などを含むＨＤ伝送フォーマットの信号が、カメラコントロールユニット１２との間で送受信される。
【００４１】
ＨＤ・トランスミッション・デコーダ１１０は、オプティカル・トランシーバ１０９で受信されたＨＤ伝送フォーマットの信号に対してデコード処理を施し、カメラコントロールユニット１２から送られてきた信号（Return, Intercom, Controlなど）を取得する。ＨＤ・トランスミッション・エンコーダ１０８は、カメラユニット１１から受信された信号（Intercom, Controlなど）や、４Ｋ／ＨＤ・コンバータ１０７で生成されたＨＤ解像度の映像信号などに対してエンコード処理を施し、送信すべきＨＤ伝送フォーマットの信号を生成する。
【００４２】
４Ｋ・ビデオ・プロセッサ１０６は、カメラユニット１１から受信された４Ｋ解像度の映像信号（4K-Video）に対して必要な処理、例えば、ゲインアップ処理、ガンマ補正処理などを行う。上述していないが、中間ユニット１３は、処理後の４Ｋ解像度の映像信号を機器外に出力する映像信号出力部１３ｄを備える。なお、４Ｋ・ビデオ・プロセッサ１０６は、カメラユニット１１側の光カメラケーブル１５が接続されていないとき、カラーバーなどの４Ｋ解像度の映像信号を出力する。４Ｋ／ＨＤ・コンバータ１０７は、４Ｋ解像度の映像信号をＨＤ解像度の映像信号に変換する。
【００４３】
ＣＰＵ１０１は、カメラユニット１１とカメラコントロールユニット１２との間のカメラコントロールに関する通信を仲介する。この場合、ＣＰＵ１０１は、カメラコントロールユニット１２からのカメラコントロール信号（コマンド）を、一旦受ける。そして、ＣＰＵ１０１は、必要に応じて、カメラユニット１１用のコントロール信号に置き換えて、カメラユニット１１に送る。具体的な例として、中間ユニット１３内、例えば４Ｋ・ビデオ・プロセッサ１０６で行う必要のあるコマンドと、カメラユニット１１側で行う必要があるコマンドを切り分けるなどのコマンドの整理を行う。
【００４４】
図３に示す中間ユニット１３の動作を簡単に説明する。光カメラケーブル１４を通じてカメラコントロールユニット１２と接続されるとき、ＨＤ・トランスミッション・デコーダ１１０では、カメラコントロールユニット１２からの光伝送信号に埋め込まれているタイミング信号が取り出され、タイミング・ジェネレータ１０２に供給される。
【００４５】
タイミング・ジェネレータ１０２では、このタイミング信号に基づいて種々のタイミング信号が発生されて中間ユニット１３の各部に送られ、各部の処理タイミングが制御される。これにより、中間ユニット１３は、カメラコントロールユニット１２から光伝送で送られてきたタイミング信号によるタイミングを基準に動作する状態となる。この場合、例えば、４Ｋ・ビデオ・プロセッサ１０６から出力されるカラーバー（CB）などの４Ｋ解像度の映像信号の出力位相も、カメラコントロールユニット１２から光伝送で送られてきたタイミング信号にロックしたものとなる。
【００４６】
次に、光カメラケーブル１５を通じてカメラユニット１２と接続されるとき、カメラユニット１１から光カメラケーブル１５内の制御線を通じて、コミュニケーション・コントローラ１０３に給電要請が送られてくる。コミュニケーション・コントローラ１０３は、この給電要請を光カメラケーブル１４の制御線を通じてカメラコントロールユニット１２に伝える。これにより、カメラコントロールユニット１２からカメラユニット１１に、光カメラケーブル１４，１５の電力用給電線を通じて、給電が行われる。
【００４７】
次に、カメラコントロールユニット１２からカメラユニット１１側への情報伝送動作を説明する。オプティカル・トランシーバ１０９では、カメラコントロールユニット１２から光カメラケーブル１４で光伝送されてくるＨＤ伝送フォーマットの信号が受信される。このＨＤ伝送フォーマットの信号はＨＤ・トランスミッション・デコーダ１１０に供給され、カメラコントロールユニット１２から送られてきた信号（Return, Intercom, Controlなど）が取得される。ここで、リターン（Return）信号は、ＨＤ解像度の映像信号である。
【００４８】
ＨＤ・トランスミッション・デコーダ１１０で取得される信号のうち、カメラコントロール（Camera-Control）信号はＣＰＵ１０１に供給され、その他の信号は４Ｋ・トランスミッション・エンコーダ１１１に供給される。ＣＰＵ１０１では、中間ユニット１３内で行う必要のあるコマンドと、カメラユニット１１側で行う必要があるコマンドと切り分けられる。
【００４９】
そして、カメラユニット１１側で行う必要があるコマンド（カメラコントロール信号）は４Ｋ・トランスミッション・エンコーダ１１１に供給される。また、ＣＰＵ１０１により、中間ユニット１３内で行う必要のあるコマンドに基づいて、対応する処理、例えば、４Ｋ・ビデオ・プロセッサ１０６におけるゲインアップ処理、ガンマ補正処理などの処理が制御される。
【００５０】
４Ｋ・トランスミッション・エンコーダ１１１では、ＨＤ・トランスミッション・デコーダ１１０およびＣＰＵ１０１から供給される信号（Return, Intercom, Controlなど）に対してエンコード処理が施され、送信すべき４Ｋ伝送フォーマットの信号が生成される。この場合、この４Ｋ伝送フォーマットの信号には、タイミング・ジェネレータ１０２で再生（Regenerate）されるタイミング信号が埋め込まれる。タイミング・ジェネレータ１０２では、４Ｋ・ビデオ・プロセッサ１０６における処理遅延が考慮され、カメラユニット１１の位相が最適となるようにタイミング信号の再生が行われる。
【００５１】
４Ｋ・トランスミッション・エンコーダ１１１で生成された４Ｋ伝送フォーマットの信号は、４Ｋオプティカル・トランシーバ１０４に供給される。オプティカル・トランシーバ１０４では、この４Ｋ伝送フォーマットの信号を、光カメラケーブル１５を介してカメラユニット１１に光伝送することが行われる。
【００５２】
次に、カメラユニット１１からカメラコントロールユニット１２側への情報伝送動作を説明する。オプティカル・トランシーバ１０４では、カメラユニット１１から光カメラケーブル１５で光伝送されてくる４Ｋ伝送フォーマットの信号が受信される。この４Ｋ伝送フォーマットの信号は４Ｋ・トランスミッション・デコーダ１０５に供給され、カメラユニット１１から送られてきた信号（4K-Video, Intercom, Controlなど）が取得される。
【００５３】
４Ｋ・トランスミッション・デコーダ１０５で取得される信号のうち、４Ｋ解像度の映像信号（4K-Video）は、４Ｋ・ビデオ・プロセッサ１０６に供給され、カメラコントロール（Camera-Control）信号（コマンド応答）はＣＰＵ１０１に供給され、その他の信号はＨＤ・トランスミッション・エンコーダ１０８に供給される。ＣＰＵ１０１では、カメラユニット１１からのコマンド応答に、必要に応じて他のコマンド応答が付加され、ＨＤ・トランスミッション・エンコーダ１０８に供給することが行われる。
【００５４】
４Ｋ・ビデオ・プロセッサ１０６では、４Ｋ解像度の映像信号（4K-Video）に対して、必要な処理、例えば、ゲインアップ処理、ガンマ補正処理などが行われる。そして、処理後の４Ｋ解像度の映像信号は、映像信号出力部１３ｄに出力されると共に、４Ｋ／ＨＤ・コンバータ１０７に供給される。４Ｋ／ＨＤ・コンバータ１０７では、４Ｋ解像度の映像信号がＨＤ解像度の映像信号（HD-Video）に変換される。このＨＤ解像度の映像信号は、ＨＤ・トランスミッション・エンコーダ１０８に供給される。
【００５５】
ＨＤ・トランスミッション・エンコーダ１０８では、４Ｋ・トランスミッション・デコーダ１０５、ＣＰＵ１０１および４Ｋ／ＨＤ・コンバータ１０７から供給される信号（HD-Video, Intercom, Controlなど）に対してエンコード処理が施され、送信すべきＨＤ伝送フォーマットの信号が生成される。このＨＤ伝送フォーマットの信号は、オプティカル・トランシーバ１０９に供給される。オプティカル・トランシーバ１０９では、このＨＤ伝送フォーマットの信号を、光カメラケーブル１４を介してカメラコントロールユニット１２に光伝送することが行われる。
【００５６】
上述したカメラシステム１０においては、４Ｋ解像度のカメラユニット（4K-Camera）１１と、ＨＤ解像度のカメラユニット用のカメラコントロールユニット（HD-CCU）１２との間に中間ユニット（4K-BPU）１３が介在されるものである。そのため、４Ｋ解像度のカメラユニット１１を、ＨＤ解像度のカメラユニット用のカメラコントロールユニット１２に接続して利用することができる。
【００５７】
そのため、例えば、４Ｋ解像度のカメラユニット１１を導入する際のコスト低減を図ることができる。すなわち、４Ｋ解像度のカメラユニット１１を導入する際に、ＨＤ解像度のカメラユニット用のカメラコントロールユニット１２が接続されたスタジオ機器あるいは中継車機器をそのまま活用することが可能となる。
【００５８】
図４は、カメラユニット（Camera）と、カメラコントロールユニット（CCU）と、スタジオ機器あるいは中継車機器との接続例を示している。この接続例は、２個のカメラユニットを使用する場合の例である。カメラユニットはそれぞれ対応するカメラコントロールユニットを通じてスタジオ機器あるいは中継車機器に接続されて運用される。
【００５９】
カメラユニットの運用には、種々のインタフェースが必要で、一括して、全てカメラコントロールユニットに接続される。カメラユニットのハンドリングを簡単にするために、カメラコントロールユニットはシステムに組み込まれている。そのため、４Ｋ解像度のカメラユニット１１を導入する際に、カメラコントロールユニットを４Ｋ解像度のカメラユニット用のものに変更することは容易ではなく、スタジオ機器あるいは中継車機器を含むシステム全体の再構築が必要となる。
【００６０】
なお、図４の接続例では、メインビデオ信号、モニタービデオ信号の主な流れしか示されていないが、実際の配線には、以下の信号種類ごとのシステム配線が存在する。
・リファレンス信号系
・リターンビデオ系、プロンプタービデオ系
・インターカム系
・ＭＩＣオーディオ、プログラム・オーディオ系
・カメラコントロール系
・ＴＡＬＬＹ系
・その他、ＡＵＸ−Ｄａｔａ系
【００６１】
また、上述したカメラシステム１０においては、カメラコントロールユニット１２がＨＤ解像度のカメラユニット用のものである。そのため、例えば、図５に破線で示すように、光カメラケーブルの接続をＨＤ解像度のカメラユニット（HD-Camera）１６に変更するだけで、HD-SYSTEMとしてのカメラシステム（図１（ａ）参照）の運用が可能となる。
【００６２】
また、上述したカメラシステム１０において、中間ユニット１３には、カメラユニット１１から送られてくる４Ｋ解像度の映像信号を処理する４Ｋ・ビデオ・プロセッサ１０６が備えられている。そのため、例えば、カメラユニット１１における映像信号の処理負荷を軽減でき、さらに処理系の構成を簡略化できる。
【００６３】
また、上述したカメラシステム１０においては、４Ｋ・ビデオ・プロセッサ１０６で生成される４Ｋ解像度の映像信号を出力する映像信号出力部１３ｄが設けられている。そのため、４Ｋ解像度のカメラユニット用のカメラコントロールユニット(4K-CCU)を用いたカメラシステム７０（図１（ｂ）参照）と同様に、４Ｋ解像度の映像信号（4K-Video）およびＨＤ解像度の映像信号（HD-Video）を得ることができる。
【００６４】
また、上述したカメラシステム１０において、中間ユニット１３内のＣＰＵ１０１は、カメラユニット１１とカメラコントロールユニット１２との間で通信されるカメラコントロール信号を仲介する構成とされている。そのため、例えば、カメラコントロールユニットから送られてくるコマンドのうち、必要なもののみを選択して、カメラユニット１１に送ることができ、また、ＣＰＵ１０１は、中間ユニット１３内に存在するカメラ機能部、例えば４Ｋ・ビデオ・プロセッサ１０６の処理制御を的確に行うことができる。
【００６５】
また、上述したカメラシステム１０において、中間ユニット１３内のコミュニケーション・コントローラ１０３は、カメラユニット１１からの給電要請をカメラコントロールユニット１２に仲介する構成とされている。そのため、例えば、カメラユニット１１側の光カメラケーブル１５が接続されていない状態で、カメラコントロールユニット１２側から電力用給電線を通じて高電圧の給電が行われることはなく、感電などの不足の事態を回避できる。
【００６６】
＜２．変形例＞
なお、上述実施の形態においては、中間ユニット１３がカメラユニット１１に送るリターン（Return）信号がＨＤ解像度の映像信号である例を示した。しかし、カメラユニット１１に４Ｋ解像度の映像信号で返す必要がある場合には、図６に破線で示すように、ＨＤ／４Ｋ・コンバータ（HD→4K Converter）１２１を内蔵し、また、必要に応じて、４Ｋ解像度のリターン映像信号を入力するための映像信号入力部１３ｅを持たせることが可能である。これにより、４Ｋ解像度のリターン映像信号をカメラユニット１１に送ることが可能となる。また、図６に破線で示すように、中間ユニット１３に、必要に応じて、ＨＤ解像度の映像信号（HD-Video）を出力する映像信号出力部１３ｆを持たせることも可能である。
【００６７】
また、上述実施の形態においては、ＨＤ解像度のカメラコントロールユニット（HD-CCU）１２に中間ユニット１３を介して４Ｋ解像度のカメラユニット（4K-Camera）１１を接続してなるカメラシステム１０を示した。しかし、本技術は、ＨＦＲ（High-Frame-Rate）カメラシステムにも応用できる。
【００６８】
図７は、カメラシステム（HFR-Hybrid-SYSTEM）２０の構成例を示している。このカメラシステム２０は、ＨＦＲのカメラユニット（HFR_Camera）２１と、例えば６０Ｈｚ、５０ＨｚなどのＮＦＲ（ノーマルフレームレート）のカメラユニット用のカメラコントロールユニット（NFR_CCU）２２と、中間ユニット（HFR-BPU：HFR-Baseband Process Unit）２３を有している。
【００６９】
中間ユニット２３には、コネクト部（第１のコネクト部）２３ａと、コネクト部（第２のコネクト部）２３ｂが設けられている。カメラコントロールユニット２２は、ＮＦＲ用光伝送路としての光カメラケーブル２４を介して、中間ユニット２３のコネクト部２３ｂに接続される。また、カメラユニット２１は、ＨＦＲ用光伝送路としての光カメラケーブル２５を介して、中間ユニット２３のコネクト部２３ａに接続される。
【００７０】
この場合、中間ユニット（HFR-BPU）２３は、ＨＦＲカメラユニット（HFR_Camera）との間の光伝送インタフェースと、ＮＦＲカメラユニット用のカメラコントロールユニット（NFR_CCU）との間の光伝送インタフェースとの双方を持っている。これにより、カメラユニット（HFR_Camera）２１側から見ると、中間ユニット（HFR-BPU）２３との接続が、ＨＦＲカメラユニット用のカメラコントロールユニット（HFR-CCU）との接続になる。また、カメラコントロールユニット（NFR_CCU）２２側から見ると、中間ユニット（HFR-BPU）２３との接続がＮＦＲカメラユニット（NFR_Camera）との接続になる。
【００７１】
つまり、中間ユニット（HFR-BPU）２３は、カメラコントロールユニット（NFR_CCU）２２との接続を、ＮＦＲカメラユニット（NFR_Camera）のプロトコルインタフェースで行う。また、中間ユニット（HFR-BPU）２３は、カメラユニット（HFR_Camera）２１との接続を、ＨＦＲカメラユニット用のカメラコントロールユニット（HFR-CCU）のプロトコルインタフェースで行う。
【００７２】
カメラユニットのフォーマットに依存しない各種雑多な信号のインタフェース機能としては、ＮＦＲカメラユニット用のカメラコントロールユニット（NFR_CCU）２２の機能が使用される。すなわち、カメラシステム２０においては、中間ユニット（HFR-BPU）２３と、カメラコントロールユニット（NFR_CCU）２２の組み合わせで、ＨＦＲカメラユニット用のカメラコントロールユニット（HFR-CCU）相当の構成が実現される。
【００７３】
中間ユニット（HFR-BPU）２３には、コネクト部２３ａおよびコネクト部２３ｂの間に、情報ブリッジ部２３ｃが備えられている。この情報ブリッジ部２３ｃは、カメラユニット（HFR_Camera）２１とカメラコントロールユニット（NFR_CCU）２２との間で送受信される情報をブリッジする。
【００７４】
この場合、情報ブリッジ部２３ｃはＨＦＲ映像信号をＮＦＲ映像信号に変換する映像信号変換機を持ち、ＮＦＲ用の光伝送インタフェースを構成できる機能を有し、ＮＦＲカメラユニット（NFR_Camera）として振る舞うことができる。そのために、中間ユニット（HFR-BPU）２３は、ＮＦＲカメラユニット用のカメラコントロールユニット（NFR_CCU）２２と接続することができる。
【００７５】
図７に示すカメラシステム２０においても、上述の図２に示すカメラシステム１０と同様の効果を得ることができる。なお、本技術は、図２に示すカメラシステム１０、図７にカメラシステム２０の構成に限定されるものではなく、一般的に、空間方向あるいは時間方向に第１の解像度のカメラユニットを、空間方向あるいは時間方向に第１の解像度よりも低い第２の解像度のカメラユニット用のカメラコントロールユニットに接続する際に適用できる。
【００７６】
また、本技術は、以下のような構成を取ることもできる。
（１）空間方向あるいは時間方向に第１の解像度のカメラユニットを接続するための第１のコネクト部と、
空間方向あるいは時間方向に上記第１の解像度よりも低い第２の解像度のカメラユニット用のカメラコントロールユニットを接続するための第２のコネクト部と、
上記第１のコネクト部および上記第２のコネクト部の間に介在され、上記カメラユニットと上記カメラコントロールユニットとの間で送受信される情報をブリッジする情報ブリッジ部とを備える
中間ユニット。
（２）上記情報ブリッジ部は、
上記第１のコネクト部に上記カメラユニットから入力される上記第１の解像度の映像信号を、上記第２の解像度の映像信号に変換して、上記第２のコネクト部に出力する
前記（１）に記載の中間ユニット。
（３）上記情報ブリッジ部は、
上記第１のコネクト部に上記カメラユニットから入力される上記第１の解像度の映像信号を上記第２の解像度の映像信号に変換する前に、該第１の解像度の映像信号に対してカメラ信号処理を行う
前記（２）に記載の中間ユニット。
（４）上記情報ブリッジ部で上記カメラ信号処理が施された上記第１の解像度の映像信号を外部に出力する映像信号出力部をさらに備える
前記（３）に記載の中間ユニット。
（５）上記情報ブリッジ部は、
上記第１のコネクト部に上記カメラユニットから上記第１の解像度の映像信号が供給されない状態で、上記第１の解像度の映像信号に対応したカラーバー信号を出力する
前記（１）から（４）のいずれかに記載の中間ユニット。
（６）上記情報ブリッジ部は、
上記カメラユニットと上記カメラコントロールユニットとの間のカメラコントロールに関する通信を仲介する
前記（１）から（５）のいずれかに記載の中間ユニット。
（７）上記情報ブリッジ部は、
上記カメラユニットからの給電要請を上記カメラコントロールユニットに仲介する
前記（１）から（６）のいずれかに記載の中間ユニット。
（８）上記情報ブリッジ部は、
上記第２のコネクト部に上記カメラコントロールユニットから入力されるカメラコントロール信号よりタイミング信号を抽出し、該タイミング信号に基づいて各部の処理タイミングを制御する
前記（１）から（７）のいずれかに記載の中間ユニット。
（９）上記第１の解像度は４Ｋ解像度であり、上記第２の解像度はＨＤ解像度である
前記（１）から（８）のいずれかに記載の中間ユニット。
（１０）上記第１の解像度はハイフレームレート解像度であり、上記第２の解像度はノーマルフレームレート解像度である
前記（１）から（８）のいずれかに記載の中間ユニット。
（１１）空間方向あるいは時間方向に第１の解像度のカメラユニットと、
空間方向あるいは時間方向に上記第１の解像度よりも低い第２の解像度のカメラユニット用のカメラコントロールユニットと、
上記カメラユニットと上記カメラコントロールユニットとの間に介在される中間ユニットとを備え、
上記中間ユニットは、
上記カメラユニットを第１の伝送路を介して接続するための第１のコネクト部と、
上記カメラコントロールユニットを第２の伝送路を介して接続するための第２のコネクト部と、
上記第１のコネクト部および上記第２のコネクト部の間に介在され、上記カメラユニットと上記カメラコントロールユニットとの間で送受信される情報をブリッジする情報ブリッジ部とを有する
カメラシステム。
【符号の説明】
【００７７】
１０・・・カメラシステム
１１・・・カメラユニット（4K-Camera）
１２・・・カメラコントロールユニット（HD-CCU）
１３・・・中間ユニット（4K-BPU）
１３ａ・・・コネクト部（第１のコネクト部）
１３ｂ・・・コネクト部（第２のコネクト部）
１３ｃ・・・情報ブリッジ部
１３ｄ・・・映像信号出力部
１３ｅ・・・映像信号入力部
１３ｆ・・・映像信号出力部
１４，１５・・・光カメラケーブル
１６・・・カメラユニット（HD-Camera）
２０・・・カメラシステム
２１・・・カメラユニット（HFR-Camera）
２２・・・カメラコントロールユニット（NFR-CCU）
２３・・・中間ユニット（HFR-BPU）
１０１・・・ＣＰＵ
１０２・・・タイミング・ジェネレータ
１０３・・・コミュニケーション・コントローラ
１０４・・・オプティカル・トランシーバ
１０５・・・４Ｋ・トランスミッション・デコーダ
１０６・・・４Ｋ・ビデオ・プロセッサ
１０７・・・４Ｋ／ＨＤ・コンバータ
１０８・・・ＨＤ・トランスミッション・エンコーダ
１０９・・・オプティカル・トランシーバ
１１０・・・ＨＤ・トランスミッション・デコーダ
１１１・・・４Ｋ・トランスミッション・エンコーダ
１２１・・・ＨＤ／４Ｋ・コンバータ
【図１】
2014204325.tif 000003
【図２】
2014204325.tif 000004
【図３】
2014204325.tif 000005
【図５】
2014204325.tif 000006
【図６】
2014204325.tif 000007
【図７】
2014204325.tif 000008
【図４】
2014204325.tif 000009